(57)【要約】【課題】施工が容易であり、融雪効率が高く、尚且つ美的外観にも優れた折板屋根の軒先部における融雪構造と、これに用いる保護カバー、その施工方法を提供する。【解決手段】折板屋根の軒先部に、線状発熱体を蛇行状に取り付け、折板屋根の各谷部において、谷部と同形状に折曲形成するとともに先端部を下方向に折曲形成した金属製カバーで、裏面若しくは全面に遠赤外線放射物質を含有する塗料を塗布したもので、前記軒先部を被覆固定する。【選択図】図１
2008266884.tif 000002
【特許請求の範囲】
【請求項１】
折板屋根の軒先部に設置した発熱体を被覆固定する金属製の保護カバーであって、折板屋根の少なくとも１の谷部と同形状で、かつ、軒先側先端部が下方向に折曲形成した形状であって、裏面若しくは全面に遠赤外線放射物質を含有する塗料が塗布されたことを特徴とする折板屋根融雪構造の保護カバー。
【請求項２】
折板屋根の軒先部において線状発熱体が蛇行状に固着され、折板屋根の少なくとも１の谷部と同形状で、かつ、軒先側先端部が下方向に折曲形成した形状であって、裏面若しくは全面に遠赤外線放射物質を含有する塗料が塗布された金属製の保護カバーにより前記軒先部が被覆固定されてなることを特徴とする折板屋根の融雪構造。
【請求項３】
折板屋根の軒先部に線状発熱体を蛇行状に配置し、折板屋根の少なくとも１の谷部と同形状で、かつ、軒先側先端部が下方向に折曲形成した形状であって、裏面若しくは全面に遠赤外線放射物質を含有する塗料が塗布された金属製の保護カバーにより前記軒先部を被覆し、固定具を用いて頂部と傾斜部のみにおいて保護カバーと折板屋根とを固定して固定具により折板屋根に固定することを特徴とする請求項２記載の折板屋根の融雪構造の施工方法。
【発明の詳細な説明】
【技術分野】
【０００１】
本発明は、折板屋根上の雪を効率よく融雪するとともに、施工が容易で、さらに美観にも優れた折板屋根の融雪構造とその施工方法に関するものである。
【背景技術】
【０００２】
従来、平葺屋根においては、面状の発熱パネルを屋根上に設置したものや線状発熱体を屋根上に蛇行状に取り付けたもの等、種々の融雪構造により融雪が行われている。また、折板屋根においては、発熱体を内部に収容したシート状の発熱体であって折曲自在なものを、折板屋根の波形形状に沿って屋根上に敷設する融雪構造が一般的に行われていた。
【０００３】
しかし、折板屋根におけるこのような融雪構造は、シート状の発熱体をその波形形状に沿って敷設することから、施工に手間を要するという問題があった。  そこで、特開２００２−１２９７１１号公報には、折板鋼板屋根の軒先の上側と下側に平板状の発熱パネルを配設し、該発熱パネルを先端支持器具によって折板鋼板屋根に取着する融雪装置が提案されており、この融雪装置によれば、折板屋根の上下に平板状の発熱パネルを設置するものであるから、施工が容易であり、積雪内部に空洞を形成することなく効率的に融雪できることとなる。
【特許文献１】特開２００７−３１９８９号公報
【特許文献２】特開２００２−１２９７１１号公報
【発明の開示】
【発明が解決しようとする課題】
【０００４】
しかしながら、折板屋根においては、その波形形状に沿ったかたちでの融雪構造とすることが美観的にも好ましく、その上で施工が容易にでき、かつ融雪効率の高いものであることが望まれる。
【０００５】
そこで、本発明において解決しようとする課題は、折板屋根の波形形状に沿って設置することが可能な融雪構造であって、施工が容易にでき、美観にも優れ、しかも融雪効率の高い折板屋根の融雪構造とその施工方法を提供することである。
【課題を解決するための手段】
【０００６】
本発明に係る折板屋根融雪構造の保護カバーは、折板屋根の軒先部に設置した発熱体を被覆固定する金属製の保護カバーであって、折板屋根の少なくとも１の谷部と同形状で、かつ、先端部が下方向に折曲形成した形状であって、裏面若しくは全面に遠赤外線放射物質を含有する塗料が塗布されたことを特徴とする。
【０００７】
また、本発明の折板屋根の融雪構造は、折板屋根の軒先部において線状発熱体が蛇行状に固着され、折板屋根の少なくとも１の谷部と同形状で、かつ、先端部が下方向に折曲形成した形状であって、裏面若しくは全面に遠赤外線放射物質を含有する塗料が塗布された金属製の保護カバーにより前記軒先部が被覆固定されてなることを特徴とする。
【０００８】
さらに、本発明に係る折板屋根の融雪構造の施工方法は、折板屋根の軒先部に線状発熱体を蛇行状に配置し、折板屋根の少なくとも１の谷部と同形状で、かつ、先端部が下方向に折曲形成した形状であって、裏面若しくは全面に遠赤外線放射物質を含有する塗料が塗布された金属製の保護カバーにより前記軒先部を被覆し、固定具を用いて頂部と傾斜部のみにおいて保護カバーと折板屋根とを固定して固定具により折板屋根に固定することを特徴とする。
【発明の効果】
【０００９】
本発明の融雪構造は、既存の折板屋根と同材料及び同形状の保護カバーで折板屋根上に固着した発熱体を被覆するため、美観に優れているとともに、発熱体の保護を十分に図ることが可能である。
【００１０】
また、本発明の融雪構造は、折板屋根の谷部において線状発熱体を蛇行状に配置し、線状発熱体が発する熱により保護カバー全面を加温して融雪を行うため、折板屋根の底部のみならず傾斜部においても融雪が行われ、積雪された雪の下部のみが融雪されて空洞化されるということも防止でき、効率的な融雪を行うことが可能である。
【００１１】
また、本発明の融雪構造に係る保護カバーは、遠赤外線放射物質を含有する塗料が塗布されているので、発熱体からの熱で保護カバーが加温されることにより遠赤外線が放射され、効率的な融雪を行うことが可能となる。
【００１２】
さらに、本発明の融雪構造に係る保護カバーは、その軒先側先端部が下方向に折曲形成した形状であるとともに、波形形状の谷部においてビスを打つことはしないため、軒先部で雪を留めないようにすることが可能である。  
【００１３】
尚、本発明の融雪構造は、折板屋根上に線状発熱体を蛇行状に固着し、それを折板屋根と同形状の保護カバーで被覆し、該保護カバーはビスにより折板屋根に固定するため、現場施工の容易化を図ることが可能である。
【発明を実施するための最良の形態】
【００１４】
以下、本発明に係る実施形態を、図面を参照して詳細に説明する。  
【００１５】
図１は、本発明に係る折板屋根の融雪構造を示す斜視図であって、本発明の融雪構造は、折板屋根１の軒先部において、折板屋根１上に線状発熱体３が蛇行状取り付けられ、これを保護カバー２で被覆固定した構成からなる。
【００１６】
折板屋根１は、駐輪場、駐車場、駅舎、プラットホーム等の屋根として用いられているものであり、凹凸型に折曲成形した金属板を横方向に連続して接続することで、断面略波形形状の屋根としたものである。
【００１７】
線状発熱体３は、たとえばコードヒータ等のように通電により発熱するものであり、折板屋根１上に蛇行状に配置されて、防水テープ４により任意の箇所において折板屋根１上に貼着される。
【００１８】
保護カバー２は、金属製であればよいが、好ましくは折板屋根１と同材料とするのがよく、この場合、保護カバー２は外観的に折板屋根１と一体となり、美観にも優れた融雪構造とすることができる。
【００１９】
また、保護カバー２の形状は、折板屋根１の谷部の凹形状と同形状であり、線状発熱体３が固着された折板屋根１の各谷部に嵌合し、ビス等の固定具５を螺合することにより、折板屋根１に固定される。この際、固定具５が打入される部分は、折板屋根１の頂部と傾斜部であり、底部には打入されない。つまり、折板屋根１の頂部１２ａ及び１２ｂと、これに係合する保護カバー２の頂部２２ａ及び２２ｂ、さらに折板屋根１の傾斜部１３ａ及び１３ｂと、これに係合する保護カバー２の傾斜部２３ａ及び２３ｂとにおいて、それぞれビス等の固定具を打入して折板屋根１上に保護カバー２が固定される。尚、折板屋根１の底部２１には、固定具５の打入は行わない。軒先部での雪の滞留を防止し、保護カバー２上で融解された雪の滑落を容易にするためである。
【００２０】
また、保護カバー２の軒先側先端部２５、２６ａ、２６ｂ、２７ａ、２７ｂは、それぞれ下方向に所定角度折り曲げ形成した形状となっており、保護カバー２が折板屋根１に嵌合された場合には、該軒先側先端部２５、２６ａ、２６ｂ、２７ａ、２７ｂがそれぞれ折板屋根１の軒先先端部を被装する。これにより、前記同様、軒先部での雪の滞留を防止し、保護カバー２上で融解された雪の滑落が容易になされる。
【００２１】
さらに、保護カバー２の裏面若しくは全面には、遠赤外線を放射する物質、例えばトルマリン等を粉末状にしたものが含有された塗料が塗布されコーティングされている。通電により線状発熱体３が発熱した場合、保護カバー２が加温されることで前記塗料に含まれる遠赤外線放射物質から遠赤外線が放射される。これにより、保護カバー２の全面による熱と、放射される遠赤外線により融雪が促進されて、効率的な融雪がなされる。
【００２２】
また、保護カバー２の裏面において、固定具５を打入する部分にはプチルゴムテープ等の樹脂製テープ６ａ及び６ｂが貼着される。固定具５による保護カバー２と折板屋根１の固定部分が損傷されないよう保護して、雨漏り等を防止するためである。
【００２３】
次に、本実施形態に係る融雪構造の施工方法について説明する。
【００２４】
まず、折板屋根１の軒先側全面に、線状発熱体３を一定間隔を空けて蛇行状に配置しながら、任意の箇所において防水テープ４を貼り付けて、線状発熱体３を折板屋根１に十分に取り付ける。
【００２５】
次に、折板屋根１と同材料の金属板を、折板屋根１の波形形状にあわせて折り曲げ形成するとともに、その軒先先端部は、下方向に所定角度さらに折り曲げ形成して、各谷部に嵌合する複数の保護カバー２を成型する。そして、折板屋根１と同色の塗料を該保護カバー２に塗布するとともに、トルマリン粉末等の遠赤外線放射物質を含有させた塗料を該保護カバーの裏面若しくは全面に塗布してコーティングする。さらに、裏面の固定具５の打入部分には樹脂製テープを貼り付けて保護カバー２が構成される。
【００２６】
そして、前記複数の保護カバー２を、折板屋根１の各谷部にそれぞれ嵌合させて、蛇行状に取り付けられた線状発熱体３を被覆する。各保護カバー２は、裏面に樹脂製テープを貼り付けた部分にビス等の固定具５を打入等することで、折板屋根１上に固定され本発明に係る折板屋根の融雪構造が施工される。この際、固定具５を打入等する位置は、保護カバー２の頂部２２ａ、２２ｂと傾斜部２３ａ、２３ｂのみであり、軒先部での雪の滞留を防止し、保護カバー２上で融解された雪の滑落を容易にするため、底部２１には固定具等は打入しない。
【図面の簡単な説明】
【００２７】
【図１】本発明の折板屋根の融雪用保護カバーと融雪構造を示す斜視図である。
【図２】本発明の折板屋根の融雪構造を示す斜視図である。
【符号の説明】
【００２８】
１    折板屋根
２    保護カバー
３    線状発熱体
４    防水テープ
５    固定具
６ａ、６ｂ    樹脂製テープ
１１    折板屋根底部
１２ａ、１２ｂ    折板屋根頂部
１３ａ、１３ｂ    折板屋根傾斜部
２１    保護カバー底部
２２ａ、２２ｂ    保護カバー頂部
２３ａ、２３ｂ    保護カバー傾斜部
２５、２６ａ、２６ｂ、２７ａ、２７ｂ    軒先側先端部
【図１】
2008266884.tif 000003
【図２】
2008266884.tif 000004